(57)【要約】【課題】  電子機器を載置する際に、常に一定の順序により充電回路と情報信号回路等のスイッチをオンすることが可能であり、誤作動を防止し、安全性にも優れた充電台を提供する。【解決手段】  充電用接点及び情報信号用接点とそれぞれ圧接可能な充電端子３２と情報信号端子３４を備える。電子機器の内蔵電池を充電する充電回路と、外部機器と情報信号を授受する情報信号回路に各々接続される各回路をオン／オフする複数のスイッチ５６，５７と、電子機器の載置に連動しスイッチ５６，５７をそれぞれ押圧するカム部材３８を備える。カム部材３８により、複数のスイッチ５６，５７を一定順序で所定時間をおいて順次オン／オフする。カム部材３８は、回転軸４２に設けられた複数のカム部５２，５３を備え、各カム部５２，５３は回転軸４２周りに互いに所定角度ずれて突出している。【選択図】図１
2006087223.tif 000002
【特許請求の範囲】
【請求項１】
充電端子と情報信号端子を備えた電子機器用の充電台において、前記電子機器の内蔵電池を充電する充電回路と、外部機器と情報信号を授受する情報信号回路に各々接続される各回路をオン／オフする複数のスイッチと、前記電子機器の載置に連動し前記スイッチをそれぞれ押圧するカム部材を備え、前記カム部材により、前記複数のスイッチを一定順序で所定時間をおいて順次オン／オフすることを特徴とする充電台。
【請求項２】
前記カム部材は、回転軸に設けられた複数のカム部を備え、各カム部は前記回転軸周りに互いに所定角度ずれて突出していることを特徴とする請求項１記載の充電台。
【請求項３】
前記複数のスイッチは、前記カム部材の動きに対して相対的に当接タイミングが異なる位置に設置されていることを特徴とする請求項１記載の充電台。
【発明の詳細な説明】
【技術分野】
【０００１】
この発明は、携帯電話等の電子機器を載置可能で、内蔵電池の充電等に使用する充電台に関する。
【背景技術】
【０００２】
一般に、携帯電話に内蔵された充電式電池を充電する際には、携帯電話本体に備えられた充電コネクタに電源アダプタからのケーブルを接続する方法と、充電コネクタを備えた充電台に携帯電話を載置して充電する方法とがある。充電台を使用する場合は、充電用コネクタに電源アダプタからの充電ケーブルが接続され、充電が行われる。そして、充電台と携帯電話は、携帯電話に設けられた充電用接点と充電台に設けられた充電用の充電端子とが、充電台に携帯電話を載置した際に圧接することにより接続状態になる。
【０００３】
さらに、特許文献１や図５に示すように、充電コネクタを備えた充電台２では、携帯電話の内蔵電池の充電を行うため、携帯電話を充電台２に載置すると、携帯電話の充電用接点と携帯電話載置面５に設けられた充電端子４が当接する。さらに、携帯電話が充電台２の突起部材６を押圧することにより、突起部材６の直下に位置したスイッチ８のアクチュエータ部１０が押圧され、スイッチ８がオンする。また、特許文献２に開示されているように、充電回路をオンするスイッチ用部材を、充電台の携帯電話本体に嵌合するフックと兼用するものも知られている。
【０００４】
さらに、特許文献３に開示されるように、充電台の携帯電話載置面に押圧部が貫通状態で設けられ、基端部が揺動可能に支持された揺動レバーにより、充電台に携帯電話を載置すると、揺動レバーの押圧部が携帯電話本体に押圧され、充電回路のスイッチをオンする構造も提案されている。この構造では、揺動レバーにより、スイッチをオンするための十分なストロークを得ることができ、より確実な動作が可能とされている。
【０００５】
一方、近年の携帯電話の多機能化により充電台も多機能が要求され、図６に示すように、パソコン等の外部機器と情報信号を授受する情報信号端子１４を備えた充電台１２もある。この充電台１２は、充電用接点の他に情報信号用接点が設けられた携帯電話に対応し、充電台１２に携帯電話を載置することにより、情報信号用接点と充電台１２の情報信号端子１４が接続する。さらに、この充電台１２は、携帯電話を載置すると、充電台１２の携帯電話載置面１５に貫通状態で突起部を持ち高さの異なる２つの突起部材１６が、携帯電話により押圧され、それぞれの突起部材１６の基端部により各スイッチ１８を押圧し、充電回路と情報信号回路を順次オンする機能を備えている。この機能により、充電端子４による感電や火傷を防止するばかりでなく、携帯電話を載置する際に、情報信号回路の誤作動も防止している。
【特許文献１】特開２００３−３４８２０９号公報
【特許文献２】特開２００４−８８６８８号公報
【特許文献３】特開２００３−２８９３６２号公報
【発明の開示】
【発明が解決しようとする課題】
【０００６】
しかし、携帯電話を充電台に載置する際に、携帯電話の載置の仕方によっては、図６にある２つの突起部材１６を携帯電話で押圧する順序が不安定になるため、携帯電話の情報信号回路が誤作動を起こす場合があった。また、突起部材１６の突起部の高さの差により突起部材１６を押圧する順序を規制しても、突起部材１６のストロークは限られており、安定的に一対のスイッチ１８を順にオンする適宜な高さの差分を得ることができないものであった。
【０００７】
この発明は、上記従来技術の問題を鑑みて成されたもので、電子機器を載置する際に、常に一定の順序により充電回路と情報信号回路等のスイッチをオンすることが可能であり、誤作動を防止し、安全性にも優れた充電台を提供することを目的とする。
【課題を解決するための手段】
【０００８】
この発明は、携帯電話等の電子機器を載置可能な充電台であって、前記電子機器の充電用接点及び情報信号用接点とそれぞれ圧接可能な充電端子と情報信号端子を備えた充電台において、前記電子機器の内蔵電池を充電する充電回路と、外部機器と情報信号を授受する情報信号回路に各々接続される各回路をオン／オフする複数のスイッチと、前記電子機器の載置に連動し前記スイッチをそれぞれ押圧するカム部材を備え、前記カム部材により前記複数のスイッチを一定順序で所定時間をおいて順次オン／オフする充電台である。
【０００９】
前記カム部材は、回転軸に設けられた複数のカム部を備え、各カム部は前記回転軸周りに互いに所定角度ずれて突出しているものである。または、前記複数のスイッチは、前記カム部材の動きに対して相対的に当接タイミングが異なる位置に設置されているものである。
【発明の効果】
【００１０】
この発明の充電台によれば、携帯電話等の電子機器を載置する際にカム部材を介することにより、常に一定の順序により充電回路と情報信号回路のスイッチをオンすることが可能であり、電子機器の誤作動を確実に防止することができる。また、充電台での感電並びに火傷等も防止し、安全性にも優れたものである。
【発明を実施するための最良の形態】
【００１１】
以下、この発明の充電台の一実施形態について、図１、図２を基にして説明する。この実施形態の充電台２２は、携帯電話を載置した状態で、内蔵電池の充電ができるほかに、外部機器との情報信号の授受も載置状態によりできるものである。
【００１２】
まず、この実施形態の携帯電話用の充電台２２の構造について説明する。図１に示すように、この実施形態の充電台２２は略直方体をしており、射出成形樹脂等により形成された部材を組み合わせて構成されている。充電台２２の上面は開口しており、開口部２０内部の底面は、側面２１の約半分の位置である。開口部２０の、長手方向両端部近傍にはそれぞれ嵌合フック２４，２６を備えている。嵌合フック２４，２６は、充電台２２内部にて、バネ２８により開口部２０内へ突出する方向に付勢されている。
【００１３】
開口部２０内部の底面３０の中央近傍には、メッキ処理された金属製の細線材を曲げ加工し形成した端子が、底面に設けられた５箇所の貫通孔より各々凸状に突出している。５つの貫通孔から突出した端子のうち、両端に位置する２つの端子は、充電端子３２である。また、中間の３つの端子は情報信号端子３４であり、この情報信号端子３４より充電端子３２が若干高く形成されている。充電端子３２及び情報信号端子３４は、充電台２２の内部で、回路基板３６に基端部が固定され、回路基板３６上の回路パターンに接続されている。そして、回路基板３６は、充電台２２の内部に固定されている。回路基板３６には、携帯電話内の充電回路と情報信号回路とに各々接続するための、接続回路が各々設けられている。
【００１４】
充電台２２の底面３０のほぼ中央部には、矩形の貫通孔が形成され、樹脂製の凸状の押圧部４０が一部分突出している。押圧部４０は、図２に示すように、射出成形などにより一体成形されたカム部材３８の円柱状の回転軸４２の長手方向中央部に、フック状に突出して形成されている。回転軸４２の両端には、適宜な幅で他より細い同心状の小径部４４が形成され、押圧部４０の先端は、押圧力がかかる摺動面４６として形成されている。
【００１５】
回転軸４２を挟んで摺動面４６とは反対側には、突起部４８が形成されている。突起部４８は、回転軸４２からほぼ下方に突出し、逆Ｔ字状になるように端部の中心から対称に円柱状突起５０を備えている。円柱状突起５０は、復帰バネ４９に係合し、押圧部４０が突出方向に付勢されるようにしている。
【００１６】
カム部材３８の回転軸４２の両端部近傍には、それぞれカム部５２，５３が一体に形成されている。カム部５２，５３は、ともに扇形をしており、扇形の外周面５４，５５は、充電台２２内部の回路基板３６に取り付けられた各スイッチ５６，５７の各々のアクチュエータ部５８，５９を押圧可能に形成されている。カム部５２，５３は、その突出方向が回転軸４２を中心として、互いの位置が僅かに異なっており、回転軸４２の回転方向に所定角度位相がずれて突出している。
【００１７】
カム部材３８は、図１に示すように、充電台２２の内部に設けられた軸受部６０に、回転軸４２の両端の小径部４４が回転可能に嵌合している。また、充電台２２の背面６２には、図示しない充電コネクタ及び情報信号コネクタが設けられている。
【００１８】
次に、この携帯電話用の充電台２２の使用方法について説明する。まず、充電台２２の図示しない充電コネクタには、図示しない電源アダプタからの充電用ケーブルを接続し、図示しない情報信号コネクタにも、図示しない外部機器からの情報信号ケーブルを接続する。そして、図示しない携帯電話を、充電台２２の開口部２０に載置し、嵌合フック２４，２６と携帯電話の嵌合部を係合状態になるようにセットする。
【００１９】
携帯電話を充電台２２に載置すると、携帯電話により押圧部４０が押圧され、カム部材３８は、回転軸４２を中心に回転する。これにより、回転軸４２に固定されたカム部５２，５３の外周面５４，５５が、各スイッチ５６，５７の各アクチュエータ部５８，５９に摺接して押圧する。そして、各スイッチ５６，５７がオンすると、回路基板３６の接続回路が各々作動する。
【００２０】
このとき、電源回路側のスイッチ５７が、カム部５３により先にオンし、その後、情報通信用のスイッチ５６がオンする。このオンするタイミングは、カム部５２，５３の配置形状により予め任意に設定することができ、確実にオンするタイミングを前後に分けることができる。
【００２１】
また、携帯電話が充電台２２から外されると、突起部４８の円柱状突起５０に係合した復帰バネ４９により、回転軸４２が回動し押圧部４０が開口部２０内に突出する。これにより、カム部５２，５３の外周面５４，５５によるスイッチ５６，５７のアクチュエータ部５８，５９の押圧が無くなり、スイッチ５６，５７はオフになり、回路動作が停止する。
【００２２】
この実施形態の携帯電話用の充電台２２によれば、一箇所の押圧部４０を押圧すると、一対のカム部５２，５３が前後してスイッチ５６，５７に作用し、常に一定の順序で確実にスイッチ５６，５７をオンすることができる。このため、情報信号回路等の誤作動を防止し、安全性にも優れた携帯電話用の充電台２２を形成することができる。また、押圧部４０を押圧する上下動作を、回転動作に変えることにより、大きなストロークを得ることができ、スイッチ５６をより確実に入切することができるものである。さらに、回転軸４２に複数のカム部５２，５３を設けることが可能なため、一対のスイッチ５６，５７より多い数のスイッチを一定の順序でオン・オフすることも可能である。
【００２３】
なお、この発明の電子機器用の充電台は上記実施形態に限定されるものではなく、図３に示すように、カム部５２，５３の形状を、円柱状の回転軸の周囲をより太くしたものとし、スイッチ５６，５７のアクチュエータ部５８，５９と摺動する面の一部を凹形状に変形させることによりスイッチ５６，５７のオン／オフを行ってもよい。
【００２４】
また、図４に示すように、スイッチ５８，５９は、カム部材３８の動きに対して相対的に当接タイミングが異なる位置に設置されているものでも良い。この場合、カム部５２，５３の取付角度を同じにして、カム部５２，５３が押圧するスイッチ５６，５７の取付位置をカム部５２，５３の当接方向前後にずらすことにより、スイッチ５６，５７をオン／オフする順序を設定する。もちろん、カム部５２，５３の取り付け角度が異なっていても良い。
【００２５】
この発明の電子機器用の充電台は、携帯電話以外の携帯情報端末、その他種々の電子機器の充電台に利用することができる。また、この充電台により接続する外部機器との情報信号の授受は、上記実施形態に限定するものではなく、情報信号回路の入切を行うため、有線による接続のほかに、無線や赤外線による接続にも適用可能である。
【図面の簡単な説明】
【００２６】
【図１】この発明の一実施形態の充電台を示す平面図（ａ）と概略断面図（ｂ）である。
【図２】この実施形態のカム部材の構造を示す概略斜視図である。
【図３】この発明の他の実施形態の充電台の部分断面図（ａ）と、Ａ−Ａ断面図（ｂ）である。
【図４】この発明のさらに他の実施形態の充電台の部分断面図（ａ）と、Ｂ−Ｂ断面図（ｂ）である。
【図５】従来の携帯電話用の充電台を示す平面図（ａ）と概略断面図（ｂ）である。
【図６】従来の携帯電話用の充電台を示す平面図（ａ）、概略縦断面図（ｂ）及び概略横断面図（ｃ）である。
【符号の説明】
【００２７】
２２  充電台
２４，２６  嵌合フック
３２  充電端子
３４  情報信号端子
３６  基板
３８  カム部材
４０  押圧部
４２  回転軸
５２，５３  カム部
５６，５７  スイッチ
５８，５９  アクチュエータ部
【図１】
2006087223.tif 000003
【図２】
2006087223.tif 000004
【図３】
2006087223.tif 000005
【図４】
2006087223.tif 000006
【図５】
2006087223.tif 000007
【図６】
2006087223.tif 000008